(57)【特許請求の範囲】
【請求項１】
液晶表示装置の駆動方法において、該液晶表示装置は複数の走査グループと複数のデータ電極を包含し、並びに各該走査グループは複数の走査電極を包含し、該駆動方法は、
複数の走査信号をそれぞれこれら走査グループのこれら走査電極に提供するステップ、このステップにおいて、各走査信号は少なくとも一つの選択信号、少なくとも一つの非選択信号、少なくとも一つの選択周期、及び少なくとも一つの非選択周期を包含し、該選択信号は該選択周期に位置し、該非選択信号は該非選択周期に位置し、これら走査信号の少なくとも二つは同じ該選択周期に位置し、これら走査電極の第Ｎロウ走査電極が該選択周期に位置する時、これら走査電極の第Ｎ−１ロウ走査電極或いは第Ｎ＋１ロウ走査電極は該非選択周期に位置し、及び、
表示データに基づき、データ信号を各該データ電極に提供し、これら走査信号とこれらデータ信号を利用し、該液晶表示装置を駆動して画像を表示させるステップ、
を包含し、該第Ｎ−１ロウ走査電極、該第Ｎロウ走査電極及び該第Ｎ＋１ロウ走査電極は表示パネルの隣り合う走査電極に位置することを特徴とする、液晶表示装置の駆動方法。
【請求項２】
請求項１記載の液晶表示装置の駆動方法において、各画像フレームにあって、これら走査信号をこれら走査電極に提供し、並びに複数の画像フレームが一つの変換周期をなし、該第Ｎロウ走査電極は該変換周期の異なる画像フレームにあって、その受け取る該選択信号の波形が同じでないことを特徴とする、液晶表示装置の駆動方法。
【請求項３】
請求項２記載の液晶表示装置の駆動方法において、該選択信号の波形はｍ種類あり、並びにｍ≧２であることを特徴とする、液晶表示装置の駆動方法。
【請求項４】
請求項１記載の液晶表示装置の駆動方法において、各画像フレームにあって、各該走査電極は僅かに一つの該選択信号を有することを特徴とする、液晶表示装置の駆動方法。
【請求項５】
請求項１記載の液晶表示装置の駆動方法において、各画像フレームにあって、各該走査電極は複数の該選択信号を有することを特徴とする、液晶表示装置の駆動方法。
【請求項６】
液晶表示装置の駆動回路において、該液晶表示装置は表示パネル、複数の走査グループと複数のデータ電極を包含し、並びに各該走査グループは複数の走査電極を包含し、並びに各走査グループは複数の走査電極を包含し、該駆動回路は、
走査駆動回路であって、該表示パネルのこれら走査電極に接続され、並びに複数の走査信号をそれぞれこれら走査グループのこれら走査電極に提供し、各該走査信号は、少なくとも一つの選択信号、少なくとも一つの非選択信号、少なくとも一つの選択周期、及び少なくとも一つの非選択周期を包含し、該選択信号は該選択周期に位置し、該非選択信号は該非選択周期に位置し、これら走査信号の少なくとも二つは同じ該選択周期に位置し、これら走査電極の第Ｎロウ走査電極が該選択周期に位置する時、これら走査電極の第Ｎ−１ロウ走査電極或いは第Ｎ＋１ロウ走査電極は該非選択周期に位置する、上記走査駆動回路と、
データ駆動回路であって、該表示パネルのこれらデータ電極に接続され、並びに複数の表示データに基づき、データ信号を各該データ電極に提供し、これら走査信号とこれらデータ信号を利用し、該液晶表示装置を駆動して画像を表示させる、上記データ駆動回路と、
を包含し、そのうち、該第Ｎ−１ロウ走査電極、該第Ｎロウ走査電極、及び該第Ｎ＋１ロウ走査電極は、該表示パネルの隣り合う走査電極に位置することを特徴とする、液晶表示装置の駆動回路。
【請求項７】
請求項６記載の液晶表示装置の駆動回路において、該走査駆動回路は各画像フレームにあって、これら走査信号をそれぞれこれら走査電極に提供し、並びに複数の画像フレームが一つの変換周期をなし、該第Ｎロウ走査電極は、該変換周期の異なる画像フレームにあって、その受け取る該選択信号の波形が同じでないことを特徴とする、液晶表示装置の駆動回路。
【請求項８】
請求項７記載の液晶表示装置の駆動回路において、該選択信号の波形はｍ種類あり、並びにｍ≧２であることを特徴とする、液晶表示装置の駆動回路。
【請求項９】
請求項６記載の液晶表示装置の駆動回路において、各画像フレームにあって、各該走査電極は僅かに一つの該選択信号を有することを特徴とする、液晶表示装置の駆動回路。
【請求項１０】
請求項６記載の液晶表示装置の駆動回路において、各画像フレームにあって、各該走査電極は複数の該選択信号を有することを特徴とする、液晶表示装置の駆動回路。
【請求項１１】
請求項６記載の液晶表示装置の駆動回路において、これら走査電極は該表示パネルの二側に順に交錯するように配列されたことを特徴とする、液晶表示装置の駆動回路。
【請求項１２】
請求項６記載の液晶表示装置の駆動回路において、該走査駆動回路は、
走査制御ユニットであって、これら走査信号を発生するのに用いられる、上記走査制御ユニットと、
少なくとも一つの走査駆動ユニットであって、該走査制御ユニットに接続され、並びにこれら走査信号をそれぞれこれら走査電極に伝送して、該液晶表示装置を駆動する、上記走査駆動ユニットと、
を包含することを特徴とする、液晶表示装置の駆動回路。
【請求項１３】
請求項６記載の液晶表示装置の駆動回路において、該データ駆動回路は、
表示制御ユニットであって、該表示データとこれら走査信号に基づき、これらデータ信号を生成する、上記表示制御ユニットと、
データ駆動ユニットであって、該表示制御ユニットに接続され、並びにこれらデータ信号をこれらデータ電極に伝送し、これにより該液晶表示装置を駆動する、上記データ駆動ユニットと、
を包含することを特徴とする、液晶表示装置の駆動回路。
【請求項１４】
請求項６記載の液晶表示装置の駆動回路において、さらに、
タイミングコントロール回路であって、タイミングコントロール信号を生成し、並びに該走査駆動回路と該データ駆動回路に伝送し、これによりこれら走査信号とこれらデータ信号を発生させる、上記タイミングコントロール回路を包含することを特徴とする、液晶表示装置の駆動回路。
【請求項１５】
請求項６記載の液晶表示装置の駆動回路において、さらに、
該表示データを保存するための保存ユニットと、
該保存ユニットに接続され、並びに保存インデックステーブルに基づき該保存ユニットのこれら保存データを保存或いは読み取る、保存制御ユニットと、
を包含することを特徴とする、液晶表示装置の駆動回路。
【発明の詳細な説明】
【技術分野】
【０００１】
本発明は一種の駆動方法及びその駆動回路に係り、特に、線間カップリングを平衡化できる液晶表示装置の駆動方法及びその駆動回路に関する。
【背景技術】
【０００２】
陰極線管（Ｃａｔｈｏｄｅ  Ｒａｙ  Ｔｕｂｅ，ＣＲＴ）を使用した最初の白黒テレビの発明以来、表示技術は急速に、不断に進歩した。しかし、このような陰極線管タイプの表示器は、体積が大きく、重量が重く、輻射量が高く及び画素が比較的劣る等の欠点を有するため、平面表示技術の新技術の開発が不断に進められてきた。これらの平面表示技術中、軽量薄型でコンパクトであり、省エネで、輻射がなく、フルカラーで携帯に便利である等の長所を有する液晶ディスプレイ（Ｌｉｑｕｉｄ  Ｃｒｙｓｔａｌ  Ｄｉｓｐｌａｙ，ＬＣＤ）技術は最も成熟し、且つ普及している。たとえば、携帯電話、言語翻訳器、デジタルカメラ、デジタルビデオカメラ、携帯情報端末装置（ＰＤＡ）、ノートブック型コンピュータ、ひいてはデスクトップ型ディスプレイのいずれもがその応用範囲を有する。
【０００３】
さらに、液晶ディスプレイ技術はすでに成熟しているが、現在液晶ディスプレイには改善すべきある問題があり、それはすなわち、一般の液晶ディスプレイの表示モジュールは動作時に、表示モジュールの液晶表示パネルが、常に程度の一定でない干渉、たとえば、静電干渉或いは線間カップリング（ｗｉｒｅ  ｃｏｕｐｌｉｎｇ）を受けることである。そのうち、液晶ディスプレイの線間カップリングは液晶画面に異なるカラーのスジの変化を発生させる。
【０００４】
図１Ａを参照されたい。それは、周知の技術の液晶表示装置の駆動方法の波形図である。図示されるように、表示パネル上に、複数の走査モジュール（図示せず）と複数のデータ電極（図示せず）が包含され、そのうち、各走査モジュールは複数の走査電極を包含し、図１Ａに示されるように、これら走査電極は一つの走査グループをなし、並びに液晶表示装置は同時に複数の走査信号をこれら走査電極に伝送できる。
【０００５】
しかし、これら走査電極は隣り合う走査電極であり、並びに、走査信号が同時にこれら走査電極に伝送されるため、走査信号がこれら走査電極に伝送される時、これら走査電極はいわゆる線間カップリング効果（ｗｉｒｅ  ｃｏｕｐｌｉｎｇ  ｅｆｆｅｃｔ）を発生し得て、図１Ａに示されるように、これら走査電極の間の走査信号の選択信号に影響を与え、選択信号上にサージを発生させ、液晶ディスプレイの表示画面の効果に影響を与え、すなわち、表示画面に異なるカラーのスジを発生させ得る。
【０００６】
このほか、図１Ｂも併せて参照されたい。それは周知の技術の液晶表示装置のもう一つの駆動方法の波形図である。図示されるように、液晶表示装置の複数の走査電極はこれら走査信号をこれら走査グループに伝送する。しかし、これら走査信号を異なる走査グループのこれら走査電極に伝送する時、これら走査グループの間の走査電極もまた、いわゆる線間カップリング効果を発生し得て、図１Ｂに示されるように、異なる走査グループの間の走査電極上の走査信号の選択信号を影響を受けて、異なる走査グループの間の走査電極上の信号にサージが発生し得て、液晶ディスプレイの画面表示の効果に影響を与え、すなわち、表示画面に異なるカラーのスジを発生させる。これにより、液晶表示装置の表示効率に影響を与える。
【発明の概要】
【発明が解決しようとする課題】
【０００７】
これにより、上述の問題に対して、一種の、新規な液晶表示装置の駆動方法及びその駆動回路を提供し、液晶表示装置の複数の走査電極の間の不平衡の線間カップリング効果を防止し、液晶表示装置の表示効率を増加することで、上述の問題を解決できる。
【０００８】
本発明の目的の一つは、液晶表示装置の駆動方法及びその駆動回路を提供することにあり、それは、複数の走査電極の第Ｎロウ走査電極が選択周期に位置する時、第Ｎ−１ロウ走査電極或いは第Ｎ＋１ロウ走査電極は非選択周期に位置し、走査電極の間の不平衡な線間カップリング効果を消去し、これにより液晶表示装置の表示効率を増加することにある。
【０００９】
本発明の目的の一つは、液晶表示装置の駆動方法及びその駆動回路を提供することにあり、それは、各画像フレームにあって、複数の走査信号をそれぞれこれら走査電極に提供し、並びに複数の画像フレームを変換周期となし、第Ｎロウ走査電極は変換周期の異なる画像フレームにあって、受信する選択信号の波形が異なり、これにより、走査電極の間の不平衡な線間カップリング効果を消去し、液晶表示装置の表示効率を増加する。
【課題を解決するための手段】
【００１０】
請求項１の発明は、液晶表示装置の駆動方法において、該液晶表示装置は複数の走査グループと複数のデータ電極を包含し、並びに各該走査グループは複数の走査電極を包含し、該駆動方法は、
複数の走査信号をそれぞれこれら走査グループのこれら走査電極に提供するステップ、このステップにおいて、各走査信号は少なくとも一つの選択信号、少なくとも一つの非選択信号、少なくとも一つの選択周期、及び少なくとも一つの非選択周期を包含し、該選択信号は該選択周期に位置し、該非選択信号は該非選択周期に位置し、これら走査信号の少なくとも二つは同じ該選択周期に位置し、これら走査電極の第Ｎロウ走査電極が該選択周期に位置する時、これら走査電極の第Ｎ−１ロウ走査電極或いは第Ｎ＋１ロウ走査電極は該非選択周期に位置し、及び、
表示データに基づき、データ信号を各該データ電極に提供し、これら走査信号とこれらデータ信号を利用し、該液晶表示装置を駆動して画像を表示させるステップ、
を包含し、該第Ｎ−１ロウ走査電極、該第Ｎロウ走査電極及び該第Ｎ＋１ロウ走査電極は表示パネルの隣り合う走査電極に位置することを特徴とする、液晶表示装置の駆動方法としている。
請求項２の発明は、請求項１記載の液晶表示装置の駆動方法において、各画像フレームにあって、これら走査信号をこれら走査電極に提供し、並びに複数の画像フレームが一つの変換周期をなし、該第Ｎロウ走査電極は該変換周期の異なる画像フレームにあって、その受け取る該選択信号の波形が同じでないことを特徴とする、液晶表示装置の駆動方法としている。
請求項３の発明は、請求項２記載の液晶表示装置の駆動方法において、該選択信号の波形はｍ種類あり、並びにｍ≧２であることを特徴とする、液晶表示装置の駆動方法としている。
請求項４の発明は、請求項１記載の液晶表示装置の駆動方法において、各画像フレームにあって、各該走査電極は僅かに一つの該選択信号を有することを特徴とする、液晶表示装置の駆動方法としている。
請求項５の発明は、請求項１記載の液晶表示装置の駆動方法において、各画像フレームにあって、各該走査電極は複数の該選択信号を有することを特徴とする、液晶表示装置の駆動方法としている。
請求項６の発明は、液晶表示装置の駆動回路において、該液晶表示装置は表示パネル、複数の走査グループと複数のデータ電極を包含し、並びに各該走査グループは複数の走査電極を包含し、並びに各走査グループは複数の走査電極を包含し、該駆動回路は、
走査駆動回路であって、該表示パネルのこれら走査電極に接続され、並びに複数の走査信号をそれぞれこれら走査グループのこれら走査電極に提供し、各該走査信号は、少なくとも一つの選択信号、少なくとも一つの非選択信号、少なくとも一つの選択周期、及び少なくとも一つの非選択周期を包含し、該選択信号は該選択周期に位置し、該非選択信号は該非選択周期に位置し、これら走査信号の少なくとも二つは同じ該選択周期に位置し、これら走査電極の第Ｎロウ走査電極が該選択周期に位置する時、これら走査電極の第Ｎ−１ロウ走査電極或いは第Ｎ＋１ロウ走査電極は該非選択周期に位置する、上記走査駆動回路と、
データ駆動回路であって、該表示パネルのこれらデータ電極に接続され、並びに複数の表示データに基づき、データ信号を各該データ電極に提供し、これら走査信号とこれらデータ信号を利用し、該液晶表示装置を駆動して画像を表示させる、上記データ駆動回路と、
を包含し、そのうち、該第Ｎ−１ロウ走査電極、該第Ｎロウ走査電極、及び該第Ｎ＋１ロウ走査電極は、該表示パネルの隣り合う走査電極に位置することを特徴とする、液晶表示装置の駆動回路としている。
請求項７の発明は、請求項６記載の液晶表示装置の駆動回路において、該走査駆動回路は各画像フレームにあって、これら走査信号をそれぞれこれら走査電極に提供し、並びに複数の画像フレームが一つの変換周期をなし、該第Ｎロウ走査電極は、該変換周期の異なる画像フレームにあって、その受け取る該選択信号の波形が同じでないことを特徴とする、液晶表示装置の駆動回路としている。
請求項８の発明は、請求項７記載の液晶表示装置の駆動回路において、該選択信号の波形はｍ種類あり、並びにｍ≧２であることを特徴とする、液晶表示装置の駆動回路としている。
請求項９の発明は、請求項６記載の液晶表示装置の駆動回路において、各画像フレームにあって、各該走査電極は僅かに一つの該選択信号を有することを特徴とする、液晶表示装置の駆動回路としている。
請求項１０の発明は、請求項６記載の液晶表示装置の駆動回路において、各画像フレームにあって、各該走査電極は複数の該選択信号を有することを特徴とする、液晶表示装置の駆動回路としている。
請求項１１の発明は、請求項６記載の液晶表示装置の駆動回路において、これら走査電極は該表示パネルの二側に順に交錯するように配列されたことを特徴とする、液晶表示装置の駆動回路としている。
請求項１２の発明は、請求項６記載の液晶表示装置の駆動回路において、該走査駆動回路は、
走査制御ユニットであって、これら走査信号を発生するのに用いられる、上記走査制御ユニットと、
少なくとも一つの走査駆動ユニットであって、該走査制御ユニットに接続され、並びにこれら走査信号をそれぞれこれら走査電極に伝送して、該液晶表示装置を駆動する、上記走査駆動ユニットと、
を包含することを特徴とする、液晶表示装置の駆動回路としている。
請求項１３の発明は、請求項６記載の液晶表示装置の駆動回路において、該データ駆動回路は、
表示制御ユニットであって、該表示データとこれら走査信号に基づき、これらデータ信号を生成する、上記表示制御ユニットと、
データ駆動ユニットであって、該表示制御ユニットに接続され、並びにこれらデータ信号をこれらデータ電極に伝送し、これにより該液晶表示装置を駆動する、上記データ駆動ユニットと、
を包含することを特徴とする、液晶表示装置の駆動回路としている。
請求項１４の発明は、請求項６記載の液晶表示装置の駆動回路において、さらに、
タイミングコントロール回路であって、タイミングコントロール信号を生成し、並びに該走査駆動回路と該データ駆動回路に伝送し、これによりこれら走査信号とこれらデータ信号を発生させる、上記タイミングコントロール回路を包含することを特徴とする、液晶表示装置の駆動回路としている。
請求項１５の発明は、請求項６記載の液晶表示装置の駆動回路において、さらに、
該表示データを保存するための保存ユニットと、
該保存ユニットに接続され、並びに保存インデックステーブルに基づき該保存ユニットのこれら保存データを保存或いは読み取る、保存制御ユニットと、
を包含することを特徴とする、液晶表示装置の駆動回路としている。
【発明の効果】
【００１１】
本発明の液晶表示装置は、表示パネル、複数の走査グループ及び複数のデータ電極を包含する。並びに各走査グループは、複数の走査電極を包含する。本発明の液晶表示装置の駆動回路は、走査駆動回路とデータ駆動回路を包含する。その駆動方法は、走査駆動回路より複数の走査信号を、それぞれこれら走査グループのこれら走査電極に提供し、各走査信号は、少なくとも一つの選択信号、少なくとも一つの非選択信号、少なくとも一つの選択周期と少なくとも一つの非選択周期を包含する。該選択信号は選択周期に位置し、該非選択信号は非選択周期に位置する。これら走査電極の第Ｎロウ走査電極が該選択周期に位置する時、これら走査電極の第Ｎ−１ロウ走査電極或いは第Ｎ＋１走査電極は該非選択周期に位置する。続いて、データ駆動回路より複数の表示データに基づき、データ信号を各該データ電極に提供し、これら走査信号とこれらデータ信号を利用して該液晶表示装置を駆動して画像を表示する。こうして、本発明は複数の走査電極の第Ｎロウ走査電極が選択周期に位置する時、第Ｎ−１ロウ走査電極或いは第Ｎ＋１走査電極が非選択周期に位置し、これにより、走査電極の間の不平衡な線間カップリング効果を消去し、こうして、液晶表示装置の表示効率を増加する。
【００１２】
さらに、本発明の走査駆動回路は各画像フレームにあって、これら走査信号をそれぞれこれら走査電極に提供し、並びに複数の画像フレームを変換周期となし、第Ｎロウ走査電極は該変換周期の異なる画像フレームにあってその受信する選択信号の波形が同じでない。これにより、本発明はまた、第Ｎロウ走査電極が該変換周期の異なる画像フレームにあって受信する選択信号の波形が同じでないことにより走査電極の間の不平衡な線間カップリング効果を消去し、これにより液晶表示装置の表示効率を増加する。
【図面の簡単な説明】
【００１３】
【図１Ａ】周知の液晶表示装置の駆動方法の波形図である。
【図１Ｂ】周知の技術の液晶表示装置の別の駆動方法の波形図である。
【図２】本発明の液晶表示装置の駆動方法の実施例の波形図である。
【図３】本発明の液晶表示装置の駆動方法の別の実施例の波形図である。
【図４】本発明の液晶表示装置の駆動方法の別の実施例の波形図である。
【図５】本発明の液晶表示装置の駆動回路の実施例の回路図である。
【図６】本発明の液晶表示装置の駆動ユニットと表示パネルの間のレイアウトの回路図である。
【図７】本発明の液晶表示装置の駆動ユニットと表示パネルの間のもう一つのレイアウトの回路図である。
【図８Ａ】本発明の液晶表示装置のアクセス保存ユニットの表示図である。
【図８Ｂ】本発明の液晶表示装置のアクセス保存ユニットの保存インデックステーブルである。
【図９Ａ】本発明の液晶表示装置のもう一つの保存ユニットの表示図である。
【図９Ｂ】本発明の液晶表示装置のもう一つの保存ユニットの読み取りインデックステーブルである。
【発明を実施するための形態】
【００１４】
本発明の技術内容、構造特徴、達成する目的を詳細に説明するため、以下に実施例を挙げ並びに図面を組み合わせて説明する。
【００１５】
図２を参照されたい。それは本発明の液晶表示装置の駆動方法のある実施例の波形図である。本発明の液晶表示装置の駆動回路１は、表示パネル１０、走査駆動回路２０及びデータ駆動回路３０を包含する（図４に示されるとおり）。
【００１６】
表示パネル１０は複数の走査グループと複数のデータ電極を包含し、並びに各走査グループは、複数の走査電極を包含する。
【００１７】
走査駆動回路２０は、複数の走査信号を発生し、並びにこれら走査信号を該表示パネル１０のこれら走査電極に伝送する。
【００１８】
データ駆動回路３０は、複数のデータ信号を発生し、並びにこれらデータ信号をこれらデータ電極に伝送する。
【００１９】
表示パネル１０はこれら走査信号とこれらデータ信号の間の電圧差に基づき、画像を表示する。
【００２０】
図２を再び参照されたい。本発明の液晶表示装置の駆動回路１の駆動方法は、まず、これら走査信号をそれぞれこれら走査グループのこれら走査電極（Ｒｏｗ（Ｎ−１）〜Ｒｏｗ（Ｎ＋６））に提供する。
【００２１】
各走査信号は、少なくとも一つの選択信号、少なくとも一つの非選択信号、少なくとも一つの選択周期、少なくとも一つの非選択周期を包含する。本実施例では、これら走査電極（Ｒｏｗ（Ｎ−１）〜Ｒｏｗ（Ｎ＋６））上のこれら走査信号は、それぞれ選択信号２１〜２７と非選択信号４１〜４７を包含し、選択信号２１〜２７は選択周期Ｔsに位置し、非選択信号４１〜４７は、非選択周期ＴNに位置する。これら走査電極の第Ｎロウ走査電極Ｒｏｗ（Ｎ）が選択周期Ｔsに位置する時、これら走査電極の第Ｎ−１ロウ走査電極Ｒｏｗ（Ｎ−１）或いは第Ｎ＋１走査電極Ｒｏｗ（Ｎ＋１）は非選択周期ＴNに位置し、すなわち、本実施例は、二つの走査グループを以て以下のように説明される。
【００２２】
本実施例は４種類の走査信号の選択信号が一つの走査グループをなし、図２に示される、第１個の走査グループはこれら走査電極Ｒｏｗ（Ｎ−１），Ｒｏｗ（Ｎ＋１），Ｒｏｗ（Ｎ＋３），Ｒｏｗ（Ｎ＋５）上のこれら走査信号の選択信号２２，２４，２６，２８、とされ、並びに第２個の走査グループはこれら走査電極Ｒｏｗ（Ｎ），Ｒｏｗ（Ｎ＋２），Ｒｏｗ（Ｎ＋４），Ｒｏｗ（Ｎ＋６）上のこれら走査信号の選択信号２１，２３，２５，２７とされる。
【００２３】
図から分かるように、本発明は、これら走査電極の第Ｎロウ走査電極Ｒｏｗ（Ｎ）が、選択周期Ｔsに位置する時、第Ｎ−１ロウ走査電極Ｒｏｗ（Ｎ−１）或いは第Ｎ＋１ロウ走査電極Ｒｏｗ（Ｎ＋１）が非選択周期ＴNに位置する。そのうち、該第Ｎ−１ロウ走査電極Ｒｏｗ（Ｎ−１）、該第Ｎロウ走査電極Ｒｏｗ（Ｎ）及び該第Ｎ＋１ロウ走査電極Ｒｏｗ（Ｎ＋１）は表示パネル１０（図６に示されるとおり）に位置する隣り合う走査電極であり、走査電極間の不平衡な線間カップリング効果を消去し、これにより液晶表示装置の表示効率を増す。
【００２４】
このほか、本発明はまた、第Ｎロウ走査電極Ｒｏｗ（Ｎ）が選択周期Ｔsに位置する時、第Ｎ−１ロウ走査電極Ｒｏｗ（Ｎ−１）及び第Ｎ＋１ロウ走査電極Ｒｏｗ（Ｎ＋１）が非選択周期ＴNに位置するものとされることで、走査電極間の不平衡な線間カップリング効果の消去を達成するものとされ得る。
【００２５】
すなわち、本実施例は、二つの走査グループ中のこれら走査信号の選択信号２１〜２７が交錯配列され、すなわち、まず第１の走査グループ中の第１の選択信号２２が提供され、続いて、第２の走査グループ中の第１の選択信号２１が提供され、続いて、第１の走査グループ中の第２の選択信号２４が提供され、さらに第２の走査グループ中の第２の選択信号２３が提供され、これより類推されるように、各一つのロウの走査信号が選択周期にあって選択信号を有するものとされる時、隣り合う走査信号は非選択周期にあって非選択信号４１〜４７を有するものとされ、これにより、走査電極の間の不平衡な線間カップリング効果の消去を達成する。
【００２６】
このほか、本発明は並びに上述の実施態様に局限されず、ただ第Ｎロウ走査電極Ｒｏｗ（Ｎ）が選択周期Ｔsに位置する時、第Ｎ−１ロウ走査電極Ｒｏｗ（Ｎ−１）及び第Ｎ＋１ロウ走査電極Ｒｏｗ（Ｎ＋１）が非選択周期ＴNに位置すれば（すなわち図中の点線の丸で囲まれた部分）、いずれも本発明の保護を必要とする請求範囲である。
【００２７】
図３を参照されたい。それは本発明の液晶表示装置の駆動方法のもう一つの実施例の波形図である。図示されるように、本実施例の、先の実施例と異なるところは、本実施例では、各走査グループ中にｍ個の走査信号がある時、選択信号の波形はｍ種類あり、並びにｍ≧２である。本実施例中、各走査グループ中に４個の走査信号があり、走査信号の波形には４種類があり、図３に示されるとおりである。
【００２８】
その駆動方法は、まず、各走査グループ中の第１の選択信号をこれら走査電極Ｒｏｗ［Ｘ１］〜Ｒｏｗ［Ｘ１＋３］に提供する。続いて、各走査グループ中の第２の選択信号をこれら走査電極Ｒｏｗ［Ｘ１］〜Ｒｏｗ［Ｘ１＋３］に提供する。
【００２９】
これを以て類推されるように、本発明は、各ロウの走査信号が選択周期にあって選択信号を有する時、その隣り合う走査信号が非選択周期に位置して非選択信号を有することにより、隣り合う走査信号の間の選択信号と選択信号の間の不平衡な線間カップリング効果の消去を達成する。
【００３０】
このほか、各画像フレームにあって、これら走査信号がこれら走査電極に提供され、並びに複数の画像フレームが一つの変換周期をなすものとされ、第Ｎロウ走査電極は変換周期の異なる画像フレームにあって、その受け取る選択信号の波形が同じでない。
【００３１】
さらに、各画像フレームにあって、各走査電極Ｒｏｗ［Ｘ１］〜Ｒｏｗ［Ｘ４＋３］は、僅かに一つの選択信号を有する。すなわち、図３に示されるように、これは一つの画像フレームとされ、並びに次の画像フレームにあって、もともとこれら走査電極Ｒｏｗ［Ｘ２］〜Ｒｏｗ［Ｘ２＋３］にある走査信号は、もともとこれらの走査電極Ｒｏｗ［Ｘ１］〜Ｒｏｗ［Ｘ１＋３］にある走査信号に取って代わる。もともとこれらの走査電極Ｒｏｗ［Ｘ３］〜Ｒｏｗ［Ｘ３＋３］にある走査信号は、もともとこれらの走査電極Ｒｏｗ［Ｘ２］〜Ｒｏｗ［Ｘ２＋３］にある走査信号に取って代わる。この類推を以て、並びにもともとこれら走査電極Ｒｏｗ［Ｘ１］〜Ｒｏｗ［Ｘ１＋３］にある走査信号が、もともとこれら走査電極Ｒｏｗ［Ｘ４］〜Ｒｏｗ［Ｘ４＋３］にある走査信号に取って代わり、こうして、もともとこれら走査電極Ｒｏｗ［Ｘ４］〜Ｒｏｗ［Ｘ４＋３］にある走査信号が複数の画像フレームを経過した後に、もともとこれら走査電極Ｒｏｗ［Ｘ１］〜Ｒｏｗ［Ｘ１＋３］にある走査信号に取って代わる時、これら画像フレームは一つの変換周期とされる。こうして、第Ｎロウ走査電極が変換周期の異なる画像フレームにあってその受信する選択信号の波形が異なるものとされる。
【００３２】
図３の例では、もともとの走査電極Ｒｏｗ［Ｘ１］〜Ｒｏｗ［Ｘ１＋３］が一つの変換周期を終えた後、走査電極Ｒｏｗ［Ｘ１＋１］上にあって異なる画像フレームが受け取る選択信号の波形は同じでなく、これにより、異なる画像フレーム期間にあって、非選択信号上のサージ７０は相補し、互いに相殺し、こうして走査電極間の不平衡な線間カップリング効果の消去を達成し、これにより、液晶表示装置の表示効率を増す。
【００３３】
このほか、本実施例が消去するのは、これらの走査電極の間の非選択信号上で発生する不平衡な線間カップリング効果であり、第２図が消去するのは、これらの走査電極の間の選択信号上に発生する不平衡な線間カップリング効果である。これにより、上述の二つの実施例を結合することで、走査電極の間の不平衡な線間カップリング効果の完全な消去を達成でき、これにより、液晶表示装置の表示効率を増加できる。
【００３４】
このほか、本発明は各走査グループ中のｍ種類の走査信号の波形が同一時間にあって、異なる走査グループに分散される。すなわち、図３の例では、各走査グループ中に四つの走査信号があり、走査信号の選択信号の波形には４種類があり、それはそれぞれ、選択信号ａ１，ａ２，ａ３及びａ４とされる。これらの選択信号ａ１，ａ２，ａ３及びａ４は時間Ｔ1にあって異なる走査グループの走査電極Ｒｏｗ［Ｘ１］，Ｒｏｗ［Ｘ２］，Ｒｏｗ［Ｘ３］及びＲｏｗ［Ｘ４］中に分散される。同様に、時間Ｔ2にあって、異なる走査グループの走査電極Ｒｏｗ［Ｘ１＋１］，Ｒｏｗ［Ｘ２＋１］，Ｒｏｗ［Ｘ３＋１］，Ｒｏｗ［Ｘ４＋１］に分散される。
【００３５】
さらに、本発明はこれらの走査グループのこれらの走査電極Ｒｏｗ［Ｘ１］〜Ｒｏｗ［Ｘ１＋３］，Ｒｏｗ［Ｘ２］〜Ｒｏｗ［Ｘ２＋３］，Ｒｏｗ［Ｘ３］〜Ｒｏｗ［Ｘ３＋３］及びＲｏｗ［Ｘ４］〜Ｒｏｗ［Ｘ４＋３］を順に配列するように限定されるわけではく、これらの走査グループの間の順序を任意に組み合わせることができ、また、これらの走査グループの間を少なくとも一つの走査電極で隔ててもよい。
【００３６】
また、本発明は各走査グループのこれらの走査電極中にこれらの選択信号を接続、輸出するように限定されず、本発明はまた、各走査グループのこれら走査電極にあって、それぞれある時間を隔てた後に、それぞれ選択信号を出力してもよい。図３に示されるこれらの走査電極Ｒｏｗ［Ｘ１］〜Ｒｏｗ［Ｘ１＋３］の例では、時間Ｔ1にあって、走査電極Ｒｏｗ［Ｘ１］は選択信号ａ１を出力し、時間Ｔ2にあって、走査電極Ｒｏｗ［Ｘ１＋１］は選択信号ａ２を出力し、これより類推されるとおりであり、そのうち、時間Ｔ1と時間Ｔ2は、ある時間隔たっている。
【００３７】
図４を参照されたい。それは本発明の液晶表示装置の駆動方法のもう一つの実施例の波形図である。図示されるように、本実施例は、上述の原理を利用し、同じ時間内にあって、隣り合う二つのロウの走査電極は、僅かに一つのロウの走査電極上にのみ選択信号を有し、並びに本実施例も、各画像フレームにあって、これら走査信号がそれぞれこれら走査電極に提供され、並びに複数の画像フレームが一つの変換周期をなす。第Ｎロウ走査電極は、変換周期の異なる画像フレームにあって、受け取る選択信号の波形が同じでない。上述の技術特徴は、いずれも図３の実施例中で既に詳細に説明されたので、ここでは重複した説明は行わない。
【００３８】
本実施例の、図３の実施例との異なるところは、本実施例の駆動方法は、分散式駆動方法とされることであり、それは、各画像フレーム中にあって、各走査電極上に複数の選択信号があり、並びに各選択信号は一つの選択周期に対応する。たとえば、図３に示される走査電極Ｒｏｗ［Ｘ１］の選択信号ａ１は、四つの区間に分けられ、図４に示される選択信号ａ１１，ａ１２，ａ１３及びａ１４が形成され、並びにそれぞれ時間Ｔ１，Ｔ５，Ｔ９及びＴ１３に表示パネルに出力されて、表示パネルを駆動する。そのうち、時間Ｔ１，Ｔ５，Ｔ９及びＴ１３はそれぞれ走査電極Ｒｏｗ［Ｘ１］上の選択信号ａ１１，ａ１２，ａ１３及びａ１４の選択周期とされる。この分散式駆動方法は、この技術領域中の通常の知識を有する者であればいずれも知っている技術であるため、この分散式駆動方法の技術についてはこれ以上の詳細な説明は行わない。
【００３９】
図５は、本発明の液晶表示装置の駆動回路の実施例の回路図である。図示されるように、本発明の液晶表示装置の駆動回路１は、走査駆動回路２０とデータ駆動回路３０を包含する。
【００４０】
走査駆動回路２０は表示パネル１０のこれら走査電極に接続され、並びにこれら走査信号を、それぞれこれら走査グループのこれら走査電極に提供する。各走査信号は、選択信号と非選択信号を包含し、選択信号は選択周期に位置し、非選択信号は非選択周期に位置する。これら走査電極の第Ｎロウ走査電極が選択周期に位置する時、これらの走査電極の第Ｎ−１ロウ走査電極或いは第Ｎ＋１ロウ走査電極は非選択周期に位置する。
【００４１】
データ駆動回路３０は表示パネル１０のこれらデータ電極に接続され、並びにこれら表示データによりデータ信号を各データ電極に提供し、これら走査信号とこれらデータ信号を利用して液晶表示装置を駆動して画像を表示させる。
【００４２】
さらに、本発明の走査駆動回路２０は、走査制御ユニット２００と少なくとも一つの走査駆動ユニット２０２を包含する。走査制御ユニット２００はこれらの走査信号を発生するのに用いられ、走査駆動ユニット２０２は走査制御ユニット２００に接続され、並びにそれぞれこれら走査信号を表示パネル１０のこれら走査電極に伝送して、液晶表示装置を駆動する。
【００４３】
本実施例では、走査駆動回路２０は、二つの走査駆動ユニット２０２，２０４を包含し、走査駆動ユニット２０２，２０４はそれぞれ表示パネル１０の二側に位置し、それぞれこれら走査信号を表示パネル１０のこれら走査電極に伝送する。
【００４４】
本発明のデータ駆動回路３０は、表示制御ユニット３００、データ駆動ユニット３０２を包含する。表示制御ユニット３００は表示データとこれら走査信号によりこれらデータ信号を発生し、データ駆動ユニット３０２は表示制御ユニット３００に接続され、並びに表示制御ユニット３００の発生したこれらデータ信号を表示パネル１０のこれらデータ電極に伝送し、こうして液晶表示装置を駆動する。
【００４５】
このほか、本発明のデータ駆動回路３０はさらに、データラッチユニット３０４を包含する。データラッチユニット３０４は表示制御ユニット３００とデータ駆動ユニット３０２の間に接続され、データラッチユニット３０４は、表示制御ユニット３００の出力したこれらデータ信号をラッチし、並びにデータ駆動ユニット３０２に伝送し、データ駆動ユニット３０２に液晶表示装置を駆動させる。
【００４６】
以上を受け、本発明の駆動回路１はさらにタイミングコントロール回路５０を包含する。タイミングコントロール回路５０はタイミングコントロール信号を発生するのに用いられ、並びにそれを走査駆動回路２０とデータ駆動回路３０に伝送し、これら走査信号とデータ信号を発生させる。
【００４７】
すなわち、タイミングコントロール回路５０の発生するタイミングコントロール信号は、クロック信号ＣＬＫとされ得て、走査駆動回路２０とデータ駆動回路３０に、タイミングコントロール信号に基づいてこれら走査信号とこれらデータ信号を発生させる。
【００４８】
このほか、上述したのは本発明の一つの実施例にすぎず、本発明のタイミングコントロール回路５０はまた、タイミングコントロール信号を走査駆動回路に伝送してこれら走査信号を発生させ、さらに走査駆動回路２０よりこれら走査信号をデータ駆動回路３０に伝送し、データ駆動回路３０にこれら表示データとこれら走査信号に基づいてこれらデータ信号を発生させてもよい。
【００４９】
さらに、本発明のタイミングコントロール回路５０はオシレータ５２とタイミング発生ユニット５４を包含する。オシレータ５２はオシレータ信号を発生するのに用いられ、タイミング発生ユニット５４はオシレータ５２に接続され、並びにオシレータ信号に基づいてタイミングコントロール信号を発生する。
【００５０】
このほか、本発明の駆動回路１はさらに保存ユニット６０と保存制御ユニット６２を包含する。保存ユニット６０は表示データの保存に用いられ、保存制御ユニット６２は保存ユニット６０に接続され、並びにこれら表示データを保存ユニット６０に保存する。
【００５１】
図６を参照されたい。それは本発明の液晶表示装置の駆動ユニットと表示パネルの間のレイアウトを示す回路図である。図示されるように、本実施例の走査駆動ユニット２０２，２０４と表示パネル１０のこれら走査電極の間のレイアウト関係は、順に各走査グループのこれら走査信号が表示パネル１０のこれら走査電極に送られ、すなわち、本実施例の走査駆動ユニット２０４がまず順に第１走査グループ（ＧＲＯＵＰ０）から第２３走査グループ（ＧＲＯＵＰ２２）の走査信号を表示パネル１０の左側の走査電極に伝送する。続いて、走査駆動ユニット２０２が順に第２４走査グループ（ＧＲＯＵＰ２３）から第４５走査グループ（ＧＲＯＵＰ４５）の走査信号を表示パネル１０の右側の走査電極に送る。こうして、本実施例の走査駆動ユニット２０２，２０４が各走査グループのこれら走査信号中の選択信号のタイミングを制御することで、これら走査電極の第Ｎロウ走査電極が選択周期に位置する時、第Ｎ−１ロウ走査電極或いは第Ｎ＋１ロウ走査電極は非選択周期に位置する。
【００５２】
そのうち、これら走査電極の第Ｎ−１ロウ走査電極、第Ｎロウ走査電極及び第Ｎ＋１ロウ走査電極は表示パネル１０に位置する隣り合う走査電極に対応し、こうして走査電極の間の不平衡な線間カップリング効果を消去し、それにより液晶表示装置の表示効率を増す。
【００５３】
図７を参照されたい。それは本発明の液晶表示装置のもう一つの駆動ユニットと表示パネルの間のレイアウトの回路図である。図示されるように、本実施例の図５の実施例との異なるところは、本実施例のこれら走査電極は、表示パネル１０の二側において順に交錯配列されていることである。すなわち、本発明は、もともとの表示パネル１０のこれら走査電極が受け取っていた走査信号の順序を変更し、奇数番号の走査電極が表示パネル１０の右側（ｃｏｍ１〜ｃｏｍ１８３）に位置し、偶数番号の走査電極が表示パネル１０の左側（ｃｏｍ０〜ｃｏｍ１８２）に位置する。こうして、本実施例は走査電極レイアウト構造の変更により、表示パネル１０のこれら走査電極の第Ｎロウ走査電極が選択周期に位置する時、それに隣り合う走査電極は非選択周期に位置する。
【００５４】
図８Ａを参照されたい。それは本発明の液晶表示装置の保存ユニットアクセスの表示図である。図示されるように、本実施例の保存ユニット６０の入力端は保存選択ユニット６４に接続され、並びに保存選択ユニット６４は選択信号ＩＴＷの制御を受け、該選択信号ＩＴＷは保存制御ユニット６２により生成され、保存インデックステーブルに基づき、これら表示データを保存ユニット６０に保存する。
【００５５】
すなわち、本発明の保存インデックステーブルはこれら表示データの保存ユニット６０における保存位置を変更する。並びに図６の駆動ユニットと表示パネルの間のレイアウト構造が組み合わされて、表示パネル１０のこれら走査電極の第Ｎロウ走査電極が選択周期に位置する時、第Ｎ−１ロウ走査電極或いは第Ｎ＋１ロウ走査電極は非選択周期に位置する。
【００５６】
すなわち、交錯配置された隣り合う走査電極上において同時に走査信号の選択信号を受け取ることがなく、言い換えると、隣り合う走査電極上、同時に選択周期に位置せず、これにより走査電極の間の不平衡な線間カップリング効果が消去され、これにより液晶表示装置の表示効率が増す。
【００５７】
図８Ｂを併せて参照されたい。それは、本発明の液晶表示装置の保存ユニットの保存インデックステーブルである。図示されるように、もともと保存ユニット６０は８個の保存位置ＲＡＭＤＩ［０］〜ＲＡＭＤＩ［７］を有し、それらはそれぞれ対応する表示データＤＩ［０］〜ＤＩ［７］を保存する。
【００５８】
本実施例の保存選択ユニット６４は、選択信号ＩＴＲに基づき、保存ユニット６０の保存位置ＲＡＭＤＩ［０］〜ＲＡＭＤＩ［７］に、表示データＤＩ［０］，ＤＩ［２］，ＤＩ［４］，ＤＩ［６］，ＤＩ［１］，ＤＩ［３］，ＤＩ［５］及び表示データＤＩ［７］を改めて保存し、こうしてこれら走査電極が表示パネル１０の二側に交錯配列されたレイアウト構造に組み合わせられ、こうして走査電極の間の不平衡な線間カップリング効果の消去を達成し、それにより液晶表示装置の表示効率を増す。
【００５９】
さらに、本実施例は、保存インデックステーブルと、これらの走査電極が表示パネル１０の二側に順に交錯配列されるレイアウト構造により、交錯するように配置された隣り合う走査電極上に同時に走査信号の選択信号を受け取ることがなく、これにより、並びに大幅にもとの液晶表示装置の駆動回路の構造を変更する必要なく、製造コスト節約の目的を達成できる。
【００６０】
図９Ａを参照されたい。それは本発明の液晶表示装置のもう一つの保存ユニットアクセスの表示図である。図示されるように、本実施例の保存ユニット６０の出力端には読み取り選択ユニット６６が接続され、並びに、読み取り選択ユニット６６は選択信号ＩＴＲの制御を受ける。選択信号ＩＴＲは保存制御ユニット６２により生成され、読み取りインデックステーブルに基づき、保存ユニット６０のこれら表示データを読み取り、すなわち、本発明の読み取りインデックステーブルはこれら表示データの保存ユニット６０における保存位置の読み取りを変更する。並びに図６の駆動ユニットと表示パネルの間のレイアウト構造が組み合わされて、表示パネル１０のこれら走査電極の第Ｎロウ走査電極が選択周期に位置する時、第Ｎ−１ロウ走査電極或いは第Ｎ＋１ロウ走査電極は非選択周期に位置し、すなわち、交錯するように配置された隣り合う走査電極上に同時に走査信号の選択信号を受け取ることがなく、言い換えると、隣り合う走査電極が同時に選択周期に位置することがなく、これにより、走査電極の間の不平衡な線間カップリング効果が消去され、これにより液晶表示装置の表示効率が増加する。
【００６１】
図９Ｂも併せて参照されたい。それは本発明の液晶表示装置のもう一つの保存ユニットの読み取りインデックステーブルである。図示されるように、もともと、保存ユニット６０は８個の保存位置ＲＡＭＤＯ［０］〜ＲＡＭＤＯ［７］を有し、それぞれが対応する表示データＤＯ［０］〜ＤＯ［７］を保存する。
【００６２】
本実施例の保存選択ユニット６４は、選択信号ＩＴＲにより読み取り方式を変更する。すなわち、もともと保存ユニット６０のこれらの保存位置ＲＡＭＤＯ［０］〜ＲＡＭＤＯ［７］を読み取っていたのを変更し、保存位置ＲＡＭＤＯ［０］，保存位置ＲＡＭＤＯ［４］，保存位置ＲＡＭＤＯ［１］，保存位置ＲＡＭＤＯ［５］，保存位置ＲＡＭＤＯ［２］，保存位置ＲＡＭＤＯ［６］，保存位置ＲＡＭＤＯ［３］とＲＡＭＤＯ［７］を読み取り、これによりこれらの走査電極が表示パネル１０の二側に交錯するよう配列されたレイアウト構造に組み合わせ、こうして走査電極の間の不平衡な線間カップリング効果を消去し、それにより液晶表示装置の表示効率を増加する。
【００６３】
さらに、本実施例が使用する読み取りインデックステーブルと、これらの走査電極が表示パネル１０の二側に順に交錯するよう配列されたレイアウト構造により隣り合う走査電極が交錯するよう配列され、交錯配列された隣り合う走査電極上に、同時に走査信号の選択信号を受け取ることがなく、これにより、大幅にもともとの液晶表示装置の駆動回路の構造を変更する必要なく、製造コストを節約する目的を達成できる。
【００６４】
総合すると、本発明は液晶表示装置の駆動方法及びその駆動回路を提供する。本発明の液晶表示装置は、複数の走査グループと複数のデータ電極を包含し、並びに各走査グループは複数の走査電極を包含する。本発明の駆動方法は、まず複数の走査信号をこれら走査グループのこれら走査電極に提供し、各走査信号は、選択信号と非選択信号を包含し、選択信号は選択周期に位置し、非選択信号は非選択周期に位置する。これらの走査電極の第Ｎロウ走査電極が選択周期に位置する時、これらの走査電極の第Ｎ−１ロウ走査電極或いは第Ｎ＋１ロウ走査電極は非選択周期に位置する。続いて、表示データに基づき、データ信号を各該データ電極に提供し、これらの走査信号とこれらのデータ信号を利用して該液晶表示装置を駆動して画像を表示させ、走査電極の間の不平衡な線間カップリング効果を消去し、これにより液晶表示装置の表示効率を増加する。
【００６５】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００６６】
１  駆動回路
１０  表示パネル
２０  走査駆動回路
２１〜２８  選択信号
２００  走査制御ユニット
２０２  走査駆動ユニット
２０４  走査駆動ユニット
３０  データ駆動回路
３００  表示制御ユニット
３０２  データ駆動ユニット
３０４  データラッチユニット
４１〜４８  非選択信号
５０  タイミングコントロール回路
５２  オシレータ
５４  タイミング発生ユニット
６０  保存ユニット
６２  保存制御ユニット
６４  保存選択ユニット
６６  読み取り選択ユニット
７０  サージ
【図１Ａ】
0005611299.tif 000002
【図１Ｂ】
0005611299.tif 000003
【図２】
0005611299.tif 000004
【図３】
0005611299.tif 000005
【図４】
0005611299.tif 000006
【図５】
0005611299.tif 000007
【図６】
0005611299.tif 000008
【図７】
0005611299.tif 000009
【図８Ａ】
0005611299.tif 000010
【図８Ｂ】
0005611299.tif 000011
【図９Ａ】
0005611299.tif 000012
【図９Ｂ】
0005611299.tif 000013